(57)【要約】      （修正有）【課題】消耗品の交換ユニットを有する電子器機において、汎用的な形状・大きさのＲＦＩＤタグを使用可能として、生産性・調達性を向上させ、製造コストを低減させることができる交換ユニットを提供する。【解決手段】本体装置に対して着脱される交換ユニットであって、メモリ３１２と内部アンテナ３１１とを備え、無線通信によりデータの書き込み及び読み出しを行うＲＦＩＤタグ３１と、当該交換ユニットが装填された状態において本体装置側に設けられたＲＦＩＤリーダーライタに臨むように、当該交換ユニットの筐体表面に配置され、ＲＦＩＤリーダーライタに対して電波を送受信する中継アンテナ３２１と、中継アンテナ３２１に接続線３２２を介して電気的に接続され、内部アンテナ３１１と電磁的に結合可能な中継アンテナ３２３とを備える【選択図】図３
2016159480.tif 000002
【特許請求の範囲】
【請求項１】
本体装置に対して着脱される交換ユニットであって、
記憶部にデータが記憶可能であるとともに、主アンテナによって送受信される電波を介した無線通信により、データの書き込み及び読み出しを行うタグ部と、
前記主アンテナと接続線を介して前記データの送受信が可能であり、当該交換ユニットが前記本体装置に対して装填された状態において前記本体装置側に設けられた通信装置と対向するように配置され、前記通信装置と無線通信を行う中継アンテナと、
を備えることを特徴とする交換ユニット。
【発明の詳細な説明】
【技術分野】
【０００１】
本発明は、印刷装置やＦＡＸ、複合機その他の電子器機において、インクカートリッジや感光体ドラム、バッテリーなどの交換ユニットに関する。
【背景技術】
【０００２】
従来、例えば印刷装置やＦＡＸ、複合機その他の電子器機において、インクカートリッジや感光体ドラム、トナー、バッテリーなどの消耗品を交換ユニットとして、装置本体に対し着脱可能とする仕組みが普及されている。このような電子器機では、交換可能な交換ユニットに非接触通信なＲＦＩＤタグを搭載させており、このＲＦＩＤタグには、例えば、交換ユニットの製品情報（インクカートリッジであれば、インクの色などの品質情報やインク残量など）や識別子などが記憶される。
【０００３】
そして、電子器機の本体側には、このＲＦＩＤタグとの間で非接触により、情報の送受信が可能なリーダーライタが設けられ、交換ユニットが本体に装着された際、交換ユニットに搭載されたＲＦＩＤタグと非接触で通信が行われ、製品情報等が読み取られるようになっている（例えば、特許文献１）。ところで  現在、ＲＦＩＤタグは他の分野でも広く使用されており、所定の大きさを有し、カード状をなしたＲＦＩＤタグが汎用されている。この汎用されているＲＦＩＤタグは、調達が容易で且つコストが安価であるという利点がある。
【先行技術文献】
【特許文献】
【０００４】
【特許文献１】特開２００３−３００３５８号公報
【発明の概要】
【発明が解決しようとする課題】
【０００５】
しかしながら、一般的な印刷装置では、装置小型化及び多機能化の要望があることから、ＲＦＩＤタグとリーダーライタとの位置関係や大きさに制限があり、汎用的なカード状をなしたＲＦＩＤタグを用いることができず、小型で且つ特殊形状を有する独自のＲＦＩＤタグが用いられていた。このような独自のＲＦＩＤタグでは、その調達が困難であり、また、製造コストが増大するという問題がある。
【０００６】
本発明は、上記課題に鑑みてなされたものであり、消耗品の交換ユニットを有する電子器機において、汎用的な形状・大きさのＲＦＩＤタグを使用可能として、生産性・調達性を向上させ、製造コストを低減させることができる交換ユニットを提供することを目的とする。
【課題を解決するための手段】
【０００７】
上記目的を達成するために本発明の特徴は、本体装置に対して着脱される交換ユニットであって、記憶部にデータが記憶可能であるとともに、主アンテナによって送受信される電波を介した無線通信により、データの書き込み及び読み出しを行うタグ部と、前記主アンテナと接続線を介して前記データの送受信が可能であり、当該交換ユニットが前記本体装置に対して装填された状態において前記本体装置側に設けられた通信装置と対向するように配置され、前記通信装置と無線通信を行う中継アンテナと、を備えることにある。
【発明の効果】
【０００８】
このような本発明によれば、本体側に向けられた中継アンテナは、主アンテナ及び記憶部を含むタグ部よりも小さい面積で製作が可能であり、交換ユニット表面の狭隘な部位であっても配置できることから、本体装置側に設けられたリーダー装置に対する受信特性を優先させた部位に配置させることができる。一方、タグ部本体は、接続線を介してタグ側の主アンテナと電気的に接続していることから、主アンテナにより接続線を通じて、電波の送受信を行うことができる。このため、本発明におけるタグ部は、リーダー装置に対する受信特性を考慮することなく自由な部位に配置できることから、面積的な制約が解消され、特別な形状や大きさの部品が不要となり、結果的に生産性・調達性の高い汎用的な部品を利用することによって、製造コストを低減させることができる。
【図面の簡単な説明】
【０００９】
【図１】本発明の実施形態に係る印刷装置の概略構成を示す機能ブロック図である。
【図２】実施形態に係るカートリッジ取付機構を示す概略構成図である。
【図３】実施形態に係るインクカートリッジの外観斜視図である。
【図４】実施形態に係るインクカートリッジの取付動作を示すフローチャートである。
【図５】（ａ）及び（ｂ）は、変形例に係るインクカートリッジの外観斜視図である。
【発明を実施するための形態】
【００１０】
以下、本発明の実施の形態について、図面を参照して説明する。各図面を通じて同一もしくは同等の部位や構成要素には、同一もしくは同等の符号を付している。ただし、図面は模式的なものであり、現実のものとは異なることに留意すべきである。また、図面相互間においても互いの寸法の関係や比率が異なる部分が含まれていることはもちろんである。
【００１１】
また、以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１２】
（印刷装置の構成）
本発明の一実施形態である印刷装置の構成について詳細に説明する。図１は、本実施形態に係る印刷装置の概略構成を示す機能ブロック図であり、図２は、本実施形態に係るカートリッジ取付機構を示す概略構成図であり、図３は、本実施形態に係るインクカートリッジの外観斜視図である。
【００１３】
印刷装置１は、ユーザー操作に基づく印刷指示にしたがってって印刷ジョブを印刷する印刷装置であり、版胴に巻き付けられたマスター（孔版原紙）を、印刷用紙に圧接させることにより孔版印刷を行う孔版印刷装置である。
【００１４】
この印刷装置１には、クライアント端末２がネットワークＬＡＮ４を介して接続されている。クライアント端末２は、ＣＰＵによる演算処理機能、及び通信インターフェースによる通信処理機能を備えた端末であり、パーソナルコンピューター等の汎用コンピューターや、機能を特化させた専用装置により実現することができ、モバイルコンピューターやＰＤＡ（Personal Digital Assistance）、携帯電話機が含まれる。また、このクライアント端末２は、ネットワークＬＡＮ４に介して印刷装置１に接続され、印刷装置１に画像データの送信を行う。なお、図１では、代表して１つのクライアント端末２についてのみ図示している。
【００１５】
ネットワークＬＡＮ４は、通信プロトコルＴＣＰ／ＩＰを用いた１０ＢＡＳＥ−Ｔや１００ＢＡＳＥ−ＴＸ等によるローカルネットワーク（ＬＡＮ）や無線ＬＡＮ（ＷＬＡＮ）等の無線ネットワークであり、例えば、ピア・トゥー・ピアによる家庭内ネットワークなどの簡易的なネットワークなども含まれる。
【００１６】
印刷装置１の構成としては、スキャナ部１５と、プリンタ部１４と、制御ユニット１０と、外部インターフェース部１３と、表示パネル１６と、カートリッジ取付機構３００とを備えている。
【００１７】
スキャナ部１５は、原稿上の印刷画像を読み取って画像信号を出力する手段であり、原稿をレンズやＣＣＤ等によって光学的に読み取り、電気信号として出力する。この読み取った情報は所定の指令（拡大、縮小等）に基づいて加工され、制御ユニット１０に送出される。
【００１８】
プリンタ部１４は、スキャナ部１５から出力された画像信号に基づいて記録紙（片面又は両面）に印刷画像を印刷（記録）する手段である。なお、このプリンタ部１４は、筒状の版胴を有し、該版胴に画像情報に基づいて製版した孔版原紙（以下、マスターと称する。）を巻装し、版胴に印刷媒体を圧接させることにより印刷処理を実行する。
【００１９】
外部インターフェース部１３は、クライアント端末２から送信された印刷ジョブを受信する通信手段である。外部インターフェース部１３は、ネットワークＬＡＮ４を介して、クライアント端末２に接続されている。この外部インターフェース部１３を介して、クライアント端末２から印刷ジョブが受信される。
【００２０】
表示パネル１６は、印刷装置１で実行される処理に対する操作情報を表示する表示手段である。表示パネル１６は、印刷装置１の上部に配置されている。この表示パネル１６は、スキャナ部１５にセットした印刷画像を複写印刷する際の、複写枚数や複写倍率といった複写条件をユーザーが入力する入力操作部等として利用することができる。
【００２１】
また、この印刷装置１には、印刷装置１の各駆動部１７が含まれる。各駆動部１７は、印刷装置１内の各部を駆動させる駆動機構であり、例えば、記録媒体をプリンタ部１４に搬送したり、印刷装置１の排出トレイに排紙したりする用紙搬送機構１７１や、マスターを製版機構に搬送するマスター搬送機構１７２、さらには、プリンタ部１４にインクカートリッジ３内のインクを供給するインク供給機構などが含まれる。
【００２２】
また、印刷装置１には、交換ユニットであるインクカートリッジ３を取り付けるカートリッジ取付機構３００を有している。交換ユニットの取り付け機構３００は、図２に示すように、画像形成装置１００の本体側として、インクカートリッジ３を収容する挿通部３０１が形成された金属製の筐体３０２と、筐体３０２と対向配置されたＲＦＩＤリーダーライタ１８とを備えている。
【００２３】
ＲＦＩＤリーダーライタ１８は、インクカートリッジ３が印刷装置１に装着されたときに、インクカートリッジ３に貼り付けられたＲＦＩＤタグ３１に対して所定の周波数帯域における電磁波を近距離範囲内で送受信し、ＲＦＩＤタグ３１に記憶保持されたインクカートリッジに関する情報を読み取るとともに、所定のデータを書き込むリーダーライタ装置である。
【００２４】
なお、インクカートリッジ３が筐体３０２に取付けられた際には、印刷装置１側に設けられた取付検知センサ（不図示）に検知されるようになっている。具体的には、取付検知センサは、受光センサであり、受光が遮断されることにより、その遮蔽物の存在を検知する。取付け時に受光センサに接近される凸部によって受光が遮断されることによりその取付けが検出される。
【００２５】
インクカートリッジ３は、印刷装置に着脱可能に装填される交換ユニットである。本実施形態におけるインクカートリッジ３は、図３に示すように、孔版印刷装置用のインクカートリッジであり、略円筒状をなしている。このインクカートリッジ３には、印刷装置１に対して着脱される筐体であり、内部にインクが封入される不図示の収納容器と、収納容器が挿入される外装体３０とから概略構成されている。インクカートリッジ３の印刷装置１側端面には、印刷装置１側のカートリッジ取付機構３００の筐体３０２に係合される係合面３３が嵌め込まれている。この係合面３３は、樹脂又は金属などの硬質材料で形成され、印刷装置１のカートリッジ取付機構３００に当接される突当面となっている。この係合面３３と筐体３０２を挟んで対向する位置には、ＲＦＩＤリーダーライタ１８が配置されている。
【００２６】
係合面３３には、その中央にインク供給口３４が配置されている。このインク供給口３４は、内部に収納するインクを印刷装置１に送り出す供給口であり、印刷装置１側のカートリッジ取付機構３００に着脱されるようになっている。すなわち、インク供給口３４は、印刷装置１側のカートリッジ取付機構３００に嵌合される着脱機構を構成し、この着脱機構によりインクカートリッジ３と印刷装置１とが相互に接続されて、インクカートリッジ３から印刷装置１へのインクの供給が行われる。
【００２７】
また、インクカートリッジ３には、係合面３３以外であって幅広な面積を有する側面に非接触通信を行うＲＦＩＤタグ３１が貼り付けられている。このＲＦＩＤタグ３１は、メモリ３１２にデータが記憶可能であるとともに、主アンテナである内部アンテナ３１１によって送受信される電波を介した無線通信により、印刷装置１側のＲＦＩＤリーダーライタ１８との間で、データの書き込み及び読み出しを行う非接触通信記憶装置である。この内部アンテナ３１１には、当該インクカートリッジ３の筐体表面に配置され、ＲＦＩＤリーダーライタ１８に対して電波を送受信する中継アンテナ３２が接続されている。
【００２８】
そして、ＲＦＩＤタグ３１では、ＲＦＩＤリーダーライタ１８から受信される電波を、中継アンテナ３２を介して、内部アンテナ３１１が受信することにより内部電力を発生させ、その電力によりＲＦＩＤタグ３１内のメモリ３１２に対するデータの読み出し及び書込みを行うとともに、印刷装置１のＲＦＩＤリーダーライタ１８とデータの送受信を行う。
【００２９】
本実施形態において、ＲＦＩＤタグ３１には、汎用的なＲＦＩＤタグであり、データの書き込み及び読み取りが行われるメモリ３１２をマウントして内部アンテナ３１１を内部に形成した薄肉回路基板であるフレキシブル回路基板によりカード状に形成されている。このＲＦＩＤタグ３１は、フレキシブル回路基板に、例えば導電性インクや導電性を有するアルミ蒸着シート等の金属薄膜をエッチング加工等により所定の形状・大きさ（長さ，面積）に成形することで形成され、外装体３０に貼り付けられている。内部アンテナ３１１は、方形のスパイラルアンテナである。一方、ＲＦＩＤタグ３１のメモリ３１２には、カートリッジを識別する識別子のほか、カートリッジのインクの色や水性・油性の種別などの品質情報、着脱回数、残量などが記憶される。
【００３０】
中継アンテナ３２は、ＲＦＩＤタグ３１と、ＲＦＩＤリーダーライタ１８との電磁結合を中継するアンテナであり、本実施形態では、ＲＦＩＤリーダーライタ１８と電磁結合が行われる本体側中継アンテナ３２１と、内部アンテナ３１１と電磁結合が行われるタグ側中継アンテナ３２３と、これら本体側中継アンテナ３２１とタグ側中継アンテナ３２３とを電気的に接続する接続線３２２とから構成される。
【００３１】
本体側中継アンテナ３２１はカートリッジの係合面３３に貼り付け可能な小型のアンテナであり、一方、タグ側中継アンテナ３２３は、内部アンテナ３１１と重なるように、ＲＦＩＤタグ３１の表面又は下面に貼り付けられるアンテナであり、１枚の基材表面に、例えば導電性インクや導電性を有するアルミ蒸着シート等の金属薄膜をエッチング加工等により所定の形状・大きさ（長さ，面積）に成形される。接続線３２２は、本体側中継アンテナ３２１とタグ側中継アンテナ３２３とを接続する導線である。なお、本実施形態では、中継アンテナ３２を、本体側中継アンテナ３２１とタグ側中継アンテナ３２３とを接続線３２２によって接続し、タグ側中継アンテナ３２３と、ＲＦＩＤタグ３１の主アンテナである内部アンテナ３１１とを電磁的に結合させて、非接触による信号の送受を可能としたが、本発明はこれに限定されるものではなく、接続線３２２を内部アンテナ３１１に電気的に直接接続することもできる。
【００３２】
そして、ＲＦＩＤタグ３１では、カートリッジ取付機構３００に対する装着動作が印刷装置１側で検知されると、ＲＦＩＤリーダーライタ１８との近距離（非接触）通信が中継アンテナ３２を通じて開始され、自機が記憶するデータを印刷装置１側に送信する。
【００３３】
図１に戻り、制御ユニット１０は、印刷装置１全体の制御を行う装置であり、ＣＰＵやＤＳＰ（Ｄｉｇｉｔａｌ  Ｓｉｇｎａｌ  ＰｒｏｃｅＳＳｏｒ）等のプロセッサ、メモリ、及びその他の電子回路等のハードウェア、或いはその機能を持ったプログラム等のソフトウェア、又はこれらの組み合わせなどによって構成された演算処理装置で構成される。なお、以下、説明中で用いられる「モジュール」とは、装置や器機等のハードウェア、或いはその機能を持ったソフトウェア、又はこれらの組み合わせなどによって構成され、所定の動作を達成するための機能単位を示す。
【００３４】
制御ユニット１０は、プログラムを適宜読み込んで実行することにより種々の機能モジュールを仮想的に構築し、画像データに関する処理や、各部の動作制御、ユーザー操作に対する種々の処理を行う。また、制御ユニット１０は、ＲＯＭ２２に格納されているプログラム及び設定情報に基づいて、表示パネル１６から入力設定される内容に応じたスキャナ部１５やプリンタ部１４の動作を制御する。
【００３５】
制御ユニット１０には、画像処理部１２と、エンジン制御部１１、ＲＯＭ２２、及びＲＡＭ２１を備えている。ＲＡＭ２１には、クライアント端末２から画像処理部１２に入力された印刷ジョブや、表示パネル１６から入力されたコピー時の印刷枚数や各種の設定内容等が随時記憶される。ＲＯＭ２２には、クライアント端末２、又は表示パネル１６から入力される設定内容に応じた、各駆動部１７、スキャナ部１５及びプリンタ部１４の動作を制御するためのプログラム及び設定情報、及びＲＦＩＤリーダーライタ１８が読み取ったインクカートリッジ３の識別子を認証する認証情報等が格納される。
【００３６】
印刷装置１の画像処理部１２は、上述したプリンタ部１４に印刷動作を行わせるモジュールであり、図１に示すように、製版制御部１２１とヘッド制御部１２２とを備える。
【００３７】
製版制御部１２１は、プリンタ部１４の製版機構を制御するモジュールであり、例えば、サーマルヘッドを制御して、スキャナ部１５で読み取った原稿画像（もしくはＰＣ等の外部から入力した原稿画像）をマスターに画素孔を穿孔して製版させる。ヘッド制御部１２２は、プリンタ部１４の印刷機構を制御するモジュールであり、例えば、多数のインク孔が形成された多孔構造の円筒状の版胴や、搬送中の印刷用紙Ｐをマスターへと押圧するローラ等を制御して、印刷用紙Ｐにインクを転写させる。
【００３８】
エンジン制御部１１は、印刷装置１における画像形成以外の各駆動部１７の制御を行うモジュールであり、本実施形態では、制御部１１１と、モータ駆動回路１１３と、センサ処理回路１１２とを備えている。モータ駆動回路１１３は、制御部１１１から出力される制御信号に基づいて各駆動部１７を駆動させるモジュールであり、例えば、インク循環機構が備えるポンプ、大気開放弁、用紙搬送機構が備える給排紙機構、ローラ等を制御することにより、インク循環処理、用紙搬送処理等を行わせる。
【００３９】
センサ処理回路１１２は、印刷装置１に配置された各種センサからの検知結果を取得して、復号化して制御部１１１に送出するモジュールである。特に、本実施形態において、このセンサ処理回路１１２には、ＲＦＩＤリーダーライタ１８が接続されており、ＲＦＩＤリーダーライタ１８から取得されるカートリッジ情報を取得するカートリッジ情報取得部としても機能する。
【００４０】
具体的に、センサ処理回路１１２は、ＲＦＩＤタグ３１のメモリ３１２に記憶保持された情報を、ＲＦＩＤリーダーライタ１８を通じて受信し、データとして取得する。このセンサ処理回路１１２によるデータの取得は、カートリッジ取付機構３００におけるカートリッジの取付検知に応じて開始され、取得されたデータは、制御部１１１に入力される。
【００４１】
制御部１１１は、エンジン制御部１１全体を制御するモジュールである。特に、この制御部１１１には、センサ処理回路１１２が取得したＲＦＩＤタグ３１内のデータを取得して、メーカー指定品（推奨品、純正品）のインクカートリッジ３であるのか、正しいホルダーに各カートリッジが装填されているか否かを判断する認証機能を有している。
【００４２】
具体的に制御部１１１は、メーカー指定品であるか否かは、例えば、インクカートリッジ３のメモリ３１２内に含まれる識別子（ＵＩＤ）に基づいて判断される。一方、正しいホルダーに装填されているか否かは、各カートリッジの色や油性・水性の種別に応じて判断される。メーカー指定品であったり、正当なホルダーに装填されている場合には、その旨を画像処理部１２や各駆動部１７に通知する。また、メーカー指定品でなかったり、誤操作により誤った色や種類のカートリッジが装填されているときには、表示パネル１６を通じて、エラーメッセージを出力する。
【００４３】
（インクカートリッジの取付動作）
次いで、本実施形態に係るインクカートリッジ３の取付動作について説明する。図４は、実施形態に係るインクカートリッジの取付動作を示すフローチャートである。
【００４４】
先ず、ユーザー操作によりインクカートリッジ３がカートリッジ取付機構３００に取り付けられると、カートリッジ取付検知部がその取付操作を検出する（Ｓ１０１）。この取付け操作が検知されると制御部１１１は、ＲＦＩＤリーダーライタ１８に非接触通信の開始を指示する。
【００４５】
この指示に応じて、ＲＦＩＤリーダーライタ１８は、所定の周波数帯域における電磁波を発生させる（Ｓ１０２）。ＲＦＩＤリーダーライタ１８から発生された電磁波は、ＲＦＩＤリーダーライタ１８と対向配置された中継アンテナ３２１によって受信され（Ｓ１０３）、その電磁波は、電気信号として接続線３２２を通じてタグ側中継アンテナ３２３に伝送され、このタグ側中継アンテナ３２３を介して、ＲＦＩＤタグ３１内の内部アンテナ３１１に電磁結合により伝送される。内部アンテナ３１１では、タグ側中継アンテナ３２３から供給された電磁波によって発電され、発生させた電力によってメモリ３１２が駆動され、識別子や製品情報などのカートリッジに関する情報が送信される（Ｓ１０４）。
【００４６】
メモリ３１２から送信されたカートリッジに関する情報は、内部アンテナ３１１から、タグ側中継アンテナ３２３及び接続線３２２を通じて中継アンテナ３２１に送信され、中継アンテナ３２１は、外部に向けてカートリッジに関する情報を送信する。ＲＦＩＤリーダーライタ１８は、このカートリッジに関する情報を含んだ電磁波を受信して（Ｓ１０５）、センサ処理回路１１２に送信する。
【００４７】
このように、本実施形態では、ＲＦＩＤリーダーライタ１８とＲＦＩＤタグ３１の内部アンテナ３１１との電磁結合が、中継アンテナ３２を介して行われ、センサ処理回路１１２において当該インクカートリッジ３の情報が取得される。センサ処理回路１１２は、そのカートリッジに関する情報を制御部１１１に送信する。
【００４８】
制御部１１１では、取得した識別子に基づいてそのメーカー指定品であるのか、正規の場所に装填されたか確認する（Ｓ１０６）。ここで、当該インクカートリッジ３がメーカー指定品であり、且つ正しく装填されていると判定された場合は（Ｓ１０７における“ＹＥＳ”）、認証処理を終了して待機状態となる。一方、メーカー指定品でないか、或いは誤ったインクカートリッジ３が装填されていないときには（Ｓ１０７における“ＮＯ”）、それに対応したエラー処理を実行する（Ｓ１０８）。このエラー処理としては、カートリッジが正しくされていない旨のメッセージを出力するなどが挙げられる。
【００４９】
（作用・効果）
このような本実施形態によれば、本体側中継アンテナ３２１は、内部アンテナ３１１及びメモリ３１２を含むＲＦＩＤタグ３１よりも小さい面積で製作が可能であり、インクカートリッジ３表面の狭隘な部位であっても配置できることから、本体装置側に設けられたＲＦＩＤリーダーライタ１８に対する受信特性を優先させた部位に配置させることができる。一方、ＲＦＩＤリーダーライタ１８は、接続線３２２を介してタグ側中継アンテナ３２３と電気的に接続していることから、タグ側中継アンテナ３２３から接続線３２２及び内部アンテナ３１１を通じて、電波の送受信を行うことができる。このため、本実施形態におけるＲＦＩＤタグ３１は、ＲＦＩＤリーダーライタ１８に対する受信特性を考慮することなく自由な部位に配置できることから、面積的な制約が解消され、特別な形状や大きさの部品が不要となり、結果的に生産性・調達性の高い汎用的な部品を利用することによって、製造コストを低減させることができる。
【００５０】
（変形例）
本考案による印刷装置１は、実施例の記載に限定されることなく、本発明の要旨を逸脱しない範囲内で種々の変形が可能である。例えば、上述した実施形態では、孔版印刷装置を例に説明したが、本発明は、これに限定するものではなく、例えば、多数のノズルが形成されたインクヘッドを複数備え、それぞれのインクヘッドからインクを吐出してライン単位で印刷を行い、搬送ベルト上の印刷用紙上に画像を形成するライン型のインクジェット印刷装置、インクヘッドが印刷用紙の搬送方向と直交する方向に往復移動して印刷用紙上に画像を形成するシリアル式の家庭用印刷装置など交換ユニットを用いる印刷装置、コピー機、ＦＡＸ機などに適用することができる。
【００５１】
図５（ａ）及び（ｂ）には、一例として、ライン型のインクジェット印刷装置及びシリアル式の家庭用印刷装置に用いられるインクカートリッジの構成を示す。ライン型のインクジェット印刷装置に対するインクカートリッジ３は、図５（ａ）に示すように、略直方体状をなしており、長手方向の延長上に配置されたカートリッジ取付機構と嵌合可能となっている。そして、このカートリッジ取付機構に対向する面である係合面３３にインク供給口３４と中継アンテナ３２１が形成され、外装体３０の係合面３３と隣接し、面積の広い上面又は下面にＲＦＩＤタグ３１が形成される。そして、このＲＦＩＤタグ３１と中継アンテナ３２１とは接続線３２２で連結させる。
【００５２】
また、例えば、家庭用印刷装置のインクカートリッジ３は、図５（ｂ）に示すように、細長の直方体状をなしており、インクカートリッジ３の下方にカートリッジ取付機構が配置される。そして、このカートリッジ取付機構と対向する下面にインク供給口３４と中継アンテナ３２１が形成され、外装体３０の係合面３３と隣接し、面積の広い側面にＲＦＩＤタグ３１が形成される。そして、このＲＦＩＤタグ３１と中継アンテナ３２１とは接続線３２２で連結される。
【００５３】
このように、他の印刷装置においても、インクカートリッジ３のうち、面積の広い部分にＲＦＩＤタグ３１を貼り付け、面積の小さい部分に中継アンテナを配置させることができるので、汎用されたＲＦＩＤタグを利用可能とし、調達性を向上させるとともに、コストを低減させることができる。
【００５４】
また、上述した実施形態では、交換ユニットとして、インクカートリッジを用いた場合を例に説明したが、本発明は、これに限定するものではなく、例えば、感光体ドラム、バッテリーなど、他の消耗品にも適用可能である。
【符号の説明】
【００５５】
１…印刷装置
２…クライアント端末
３…インクカートリッジ
４…ネットワークＬＡＮ
１０…制御ユニット
１１…エンジン制御部
１２…画像処理部
１３…外部インターフェース部
１４…プリンタ部
１５…スキャナ部
１６…表示パネル
１７…駆動部
１８…ＲＦＩＤリーダーライタ
２１…ＲＡＭ
２２…ＲＯＭ
３０…外装体
３１…ＲＦＩＤタグ
３２…中継アンテナ
３３…係合面
３４…インク供給口
１００…画像形成装置
１１１…制御部
１１２…センサ処理回路
１１３…モータ駆動回路
１２1…製版制御部
１２２…ヘッド制御部
１７１…用紙搬送機構
１７２…マスター搬送機構
３００…カートリッジ取付機構
３０１…挿通部
３０２…筐体
３１１…内部アンテナ（主アンテナ）
３１２…メモリ
３２１…本体側中継アンテナ
３２２…接続線
３２３…タグ側中継アンテナ
【図１】
2016159480.tif 000003
【図２】
2016159480.tif 000004
【図３】
2016159480.tif 000005
【図４】
2016159480.tif 000006
【図５】
2016159480.tif 000007